【手続補正書】
【提出日】平成15年10月1日(2003.10.1)
【手続補正１】
【補正対象書類名】明細書
【補正対象項目名】特許請求の範囲
【補正方法】変更
【補正の内容】
【特許請求の範囲】
【請求項１】
時系列的に再生対象とされ、その各々が一定時間範囲内で再生されるべき複数のデータユニットであって、そのデータユニットが、ビデオデータ、オーディオデータ、副映像データのいずれかを少なくとも含む再生データをパケット化した複数のデータパック列およびこのデータパック列の先頭に配置されコントロールデータが記述されるコントロールデータパックから構成される再生データを記録媒体から再生する再生装置において、
上記記録媒体ごとの上記最初のデータユニットのコントロールデータパックの次のデータパック内のデータにより固有コードを生成する生成手段と、
この生成手段により生成される固有コードに対応して、種々の設定状態があらかじめ記憶されている記憶手段と、
上記記録媒体が装填された際に、上記生成手段により固有コードを生成し、この生成される固有コードと一致する固有コードに対応する種々の設定状態を上記記憶手段から読出す読出手段と、この読出手段により読出された種々の設定状態に設定する設定手段と、
この設定手段により種々の設定状態に設定された状態で、上記記録媒体の再生データを再生する再生手段と、
を具備したことを特徴とする再生装置。
【請求項２】
時系列的に再生対象とされ、その各々が一定時間範囲内で再生されるべき複数のデータユニットであって、そのデータユニットが、圧縮データのビデオデータ、オーディオデータ、副映像データのいずれかを少なくとも含む再生データをパケット化した複数のデータパック列およびこのデータパック列の先頭に配置されコントロールデータが記述されるコントロールデータパックから構成される再生データを記録媒体から再生する再生装置において、
上記記録媒体ごとの上記最初のデータユニットのコントロールデータパックの次のデータパック内のビデオデータの圧縮データにより固有コードを生成する生成手段と、
この生成手段により生成される固有コードに対応して、種々の設定状態があらかじめ記憶されている記憶手段と、
上記記録媒体が装填された際に、上記生成手段により固有コードを生成し、この生成される固有コードと一致する固有コードに対応する種々の設定状態を上記記憶手段から読出す読出手段と、
この読出手段により読出された種々の設定状態に設定する設定手段と、この設定手段により種々の設定状態に設定された状態で、上記記録媒体の再生データを再生する再生手段と、
を具備したことを特徴とする再生装置。
【請求項３】
時系列的に再生対象とされ、その各々が一定時間範囲内で再生されるべき複数のデータユニットであって、そのデータユニットが、ビデオデータ、オーディオデータ、副映像データのいずれかを少なくとも含む再生データをパケット化した複数のデータパック列およびこのデータパック列の先頭に配置されコントロールデータが記述されるコントロールデータパックから構成される再生データを記録媒体から再生する再生装置において、
上記記録媒体ごとの上記最初のデータユニットのコントロールデータパックの次のデータパック内のデータにより固有コードを生成する生成手段と、
この生成手段により生成される固有コードに対応して、前回装填時の再生停止位置があらかじめ記憶されている記憶手段と、
上記記録媒体が装填された際に、上記生成手段により固有コードを生成し、この生成される固有コードと一致する固有コードに対応する前回装填時の再生停止位置を上記記憶手段から読出す読出手段と、
この読出手段により読出した再生停止位置からの上記記録媒体の再生データを再生する再生手段と、
を具備したことを特徴とする再生装置。
【請求項４】
時系列的に再生対象とされ、その各々が一定時間範囲内で再生されるべき複数のデータユニットであって、そのデータユニットが、圧縮データのビデオデータ、オーディオデータ、副映像データのいずれかを少なくとも含む再生データをパケット化した複数のデータパック列およびこのデータパック列の先頭に配置されコントロールデータが記述されるコントロールデータパックから構成される再生データを記録媒体から再生する再生装置において、
上記記録媒体ごとの上記最初のデータユニットのコントロールデータパックの次のデータパック内のビデオデータの圧縮データにより固有コードを生成する生成手段と、
この生成手段により生成される固有コードに対応して、前回装填時の再生停止位置があらかじめ記憶されている記憶手段と、
上記記録媒体が装填された際に、上記生成手段により固有コードを生成し、この生成される固有コードと一致する固有コードに対応する前回装填時の再生停止位置を上記記憶手段から読出す読出手段と、
この読出手段により読出した再生停止位置からの上記記録媒体の再生データを再生する再生手段と、
を具備したことを特徴とする再生装置。
【請求項５】
時系列的に再生対象とされ、その各々が一定時間範囲内で再生されるべき複数のデータユニットであって、そのデータユニットが、ビデオデータ、オーディオデータ、副映像データのいずれかを少なくとも含む再生データをパケット化した複数のデータパック列およびこのデータパック列の先頭に配置されコントロールデータが記述されるコントロールデータパックから構成される再生データを記録媒体から再生する再生装置において、
上記記録媒体ごとの上記最初のデータユニットのコントロールデータパックの次のデータパック内のデータにより固有コードを生成する生成手段と、
この生成手段により生成される固有コードに対応して、種々の設定状態と前回装填時の再生停止位置があらかじめ記憶されている記憶手段と、
上記記録媒体が装填された際に、上記生成手段により固有コードを生成し、この生成される固有コードと一致する固有コードに対応する種々の設定状態と前回装填時の再生停止位置を上記記憶手段から読出す読出手段と、
この読出手段により読出された種々の設定状態に設定する設定手段と、
この設定手段により種々の設定状態に設定された状態で、上記読出手段により読出した再生停止位置からの上記記録媒体の再生データを再生する再生手段と、
を具備したことを特徴とする再生装置。
【請求項６】
時系列的に再生対象とされ、その各々が一定時間範囲内で再生されるべき複数のデータユニットであって、そのデータユニットが、圧縮データのビデオデータ、オーディオデータ、副映像データのいずれかを少なくとも含む再生データをパケット化した複数のデータパック列およびこのデータパック列の先頭に配置されコントロールデータが記述されるコントロールデータパックから構成される再生データを記録媒体から再生する再生装置において、
上記記録媒体ごとの上記最初のデータユニットのコントロールデータパックの次のデータパック内のビデオデータの圧縮データにより固有コードを生成する生成手段と、
この生成手段により生成される固有コードに対応して、種々の設定状態と前回装填時の再生停止位置があらかじめ記憶されている記憶手段と、
上記記録媒体が装填された際に、上記生成手段により固有コードを生成し、この生成される固有コードと一致する固有コードに対応する種々の設定状態と前回装填時の再生停止位置を上記記憶手段から読出す読出手段と、
この読出手段により読出された種々の設定状態に設定する設定手段と、
この設定手段により種々の設定状態に設定された状態で、上記読出手段により読出した再生停止位置からの上記記録媒体の再生データを再生する再生手段と、
を具備したことを特徴とする再生装置。
【請求項７】
時系列的に再生対象とされ、その各々が一定時間範囲内で再生されるべき複数のデータユニットであって、そのデータユニットが、ビデオデータ、オーディオデータ、副映像データのいずれかを少なくとも含む再生データをパケット化した複数のデータパック列およびこのデータパック列の先頭に配置されコントロールデータが記述されるコントロールデータパックから構成される再生データを記録媒体から再生する再生装置において、
上記記録媒体ごとの上記最初のデータユニットのコントロールデータパックの次のデータパック内のデータと上記記録媒体に記録されている少なくとも１つの他のデータとにより固有コードを生成する生成手段と、
この生成手段により生成される固有コードに対応して、種々の設定状態があらかじめ記憶されている記憶手段と、
上記記録媒体が装填された際に、上記生成手段により固有コードを生成し、この生成される固有コードと一致する固有コードに対応する種々の設定状態を上記記憶手段から読出す読出手段と、
この読出手段により読出された種々の設定状態に設定する設定手段と、この設定手段により種々の設定状態に設定された状態で、上記記録媒体の再生データを再生する再生手段と、を具備したことを特徴とする再生装置。
【請求項８】
時系列的に再生対象とされ、その各々が一定時間範囲内で再生されるべき複数のデータユニットであって、そのデータユニットが、圧縮データのビデオデータ、オーディオデータ、副映像データのいずれかを少なくとも含む再生データをパケット化した複数のデータパック列およびこのデータパック列の先頭に配置されコントロールデータが記述されるコントロールデータパックから構成される再生データを記録媒体から再生する再生装置において、
上記記録媒体ごとの上記最初のデータユニットのコントロールデータパックの次のデータパック内のビデオデータの圧縮データと上記記録媒体に記録されている少なくとも１つの他のデータとにより固有コードを生成する生成手段と、
この生成手段により生成される固有コードに対応して、種々の設定状態があらかじめ記憶されている記憶手段と、
上記記録媒体が装填された際に、上記生成手段により固有コードを生成し、この生成される固有コードと一致する固有コードに対応する種々の設定状態を上記記憶手段から読出す読出手段と、
この読出手段により読出された種々の設定状態に設定する設定手段と、
この設定手段により種々の設定状態に設定された状態で、上記記録媒体の再生データを再生する再生手段と、
を具備したことを特徴とする再生装置。
【請求項９】
時系列的に再生対象とされ、その各々が一定時間範囲内で再生されるべき複数のデータユニットであって、そのデータユニットが、圧縮データのビデオデータ、オーディオデータ、副映像データのいずれかを少なくとも含む再生データをパケット化した複数のデータパック列およびこのデータパック列の先頭に配置されコントロールデータが記述されるコントロールデータパックから構成される再生データを記録媒体から再生するものにおいて、
上記記録媒体ごとの上記最初のデータユニットのコントロールデータパックの次のデータパック内のビデオデータの圧縮データにより固有コードを生成し、
この生成される固有コードに対応して、種々の設定状態をあらかじめ記憶手段に記憶し、
上記記録媒体が装填された際に、上記記録媒体ごとの上記最初のデータユニットのコントロールデータパックの次のデータパック内のビデオデータの圧縮データにより固有コードを生成し、
この生成される固有コードと一致する固有コードに対応する種々の設定状態を上記記憶手段から読出し、
この読出された種々の設定状態に設定し、
この種々の設定状態に設定された状態で、上記記録媒体の再生データを再生することを特徴とする再生方法。
【手続補正２】
【補正対象書類名】明細書
【補正対象項目名】００１２
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００２１
【補正方法】削除
【補正の内容】